(57)【要約】ポルノ写真ハッシュ値データベース（ＤＢ）が構築されるように予め決められた１方向ハッシュ関数を利用して、インターネット上に拡がったポルノ写真ファイル全体あるいは一部からポルノ写真ハッシュ値が取り出され、１方向ハッシュ関数を利用してコンピュータで転送され、編集されかつ実行されるファイルの全体あるいは一部からハッシュ値が取出され（取出しハッシュ値）、ポルノ写真ハッシュ値が取出しハッシュ値と比較されると同時に、ファイルがポルノ写真ファイルに該当する場合にはファイルの転送あるいは実行が停止されるかあるいはファイルが削除され、これによってコンピュータを利用する青少年に健全なインターネット環境が提供されるとともに、より生産性の高い国民的資源であるインターネットのインフラストラクチャが利用されるインターネット通信の多くを占めるポルノ写真の流通が阻止される、ハッシュ値利用のポルノ写真遮断方法が提供される。【選択図】図１
2008516332.tif 000002
【特許請求の範囲】
【請求項１】
様々なポルノ写真全体あるいは一部から予め決められた一方向ハッシュ関数を利用してハッシュ値（ポルノ写真ハッシュ値）が取り出され, ポルノ写真ハッシュ値ＤＢが構築されるＤＢ構築段階；
コンピュータに記憶されるファイルが再生されるとかネットワークを通じて転送または受信されるときにハッシュ関数を用いてファイルの一部からハッシュ値（取出しハッシュ値）を取り出す取出し段階；
取り出されたハッシュ値のポルノ写真ハッシュ値ＤＢのポルノ写真ハッシュ値との比較段階；
並びにハッシュ値と一致するポルノ写真ハッシュ値がある場合にはファイルの再生（実行）、編集、あるいは転送の中止の遮断段階；
が含まれるハッシュ値が利用されるポルノ写真遮断方法
【請求項２】
さらにポルノ写真の等級に応じた等級によってポルノ写真ハッシュ値の分類段階およびＤＢ構築段階後に遮断されるポルノ写真の等級が設定される等級設定段階が含まれて、比較段階で取出されたハッシュ値が等級設定段階で設定される予め決められた等級より高い等級のポルノ写真ハッシュ値と比較される請求項１に請求されるポルノ写真遮断方法
【請求項３】
ポルノ写真ハッシュ値がＤＢ構築段階のネットワークを通じてサーバーから転送される請求項１あるいは請求項２に請求されるポルノ写真遮断方法
【発明の詳細な説明】
【技術分野】
【０００１】
本発明はポルノ写真遮断方法に関係するとともに、さらに特に、ポルノ写真ハッシュ値データベース（ＤＢ）が構築されるために予め決まった１方向ハッシュ関数が利用されてインターネット上に拡がるポルノ写真ファイルの全体あるいは部分からポルノ写真ハッシュ値が取り出され、１方向ハッシュ関数が利用されてコンピュータで転送、編集かつ実行される全体あるいは一部のファイルからハッシュ値が取り出される（取出しハッシュ値）とともに、ファイルがポルノ写真ファイルと一致する場合にはファイルの転送あるいは実行が停止されるかあるいはファイルが消去され、これによってコンピュータを利用する青少年によって違法ポルノ写真動画に接近されるのが防止されて、健全なインターネット環境が提供されると同時に、より生産性のある国民的資源であるインターネットのインフラストラクチャが利用されるインターネット通信の大部分が占められるポルノ写真動画の流通が阻止されるハッシュ値が利用されるポルノ写真遮断方法に関する。
【背景技術】
【０００２】
国民警察庁サイバーテロ応答センター発行資料「ファイルシェアリングサービスを通じたポルノ写真配布違反とサイトオペレータの取締りの結果（２００４年６月２３日エレクトロニックタイムズ誌）」によると、９０％を越えるポルノ写真資料がＰ２Ｐのようなファイルシェアリングを通じて配布されていることが調査された。２００４年５月の韓国電気通信会社（ＫＴ）の調査資料（２００４年８月２４日付けニューズウィーク韓国版）によると、インターネットデータ通信の８８．７６％が個人間のファイルシェアリングプログラムＰ２Ｐおよびメッセンジャープログラムを通じて配布された。
【０００３】
韓国特許Laid-Open公開No 2004-46537（出願No. 10-2002-74484、引用参照特許１）に、特定色（黄、黒、白等）がＶＯＤサービスのスクリーン上で予め決められた閾値を越える場合に遮断されるポルノ写真遮断方法が公開されている。韓国特許Laid-Open公開No 2002-27987（出願No. 10-2000-58828、引用参照特許２）では、ポルノ写真サイトのＵＲＬのＤＢが構築されると同時にユーザーコンピュータがポルノ写真サイトにアクセスしようとする場合にサイトが封鎖されるポルノ写真遮断方法が公開されている。
【０００４】
韓国特許Laid-Open公開No 2001-107528（出願No. 10-2001-4025、引用参照特許３）には、ポルノ写真の色、質感や形態ならびにインターネットから受信されかつマルチメディアデータから取り出される特徴的な記述因子といった特徴上の記述の類似性が計算／測定されるとともに、マルチメディアデータのポルノ写真の等級が判断されによってデータがポルノ写真と一致する場合にマルチメディアデータが遮断されるポルノ写真遮断方法が公開されている。
【０００５】
しかしながら、引用参照発明１と３ではすべての場面の色が分析されなくてはならないので現場の色の分析に長時間が必要とされる。さらに、マルチメディアデータがポルノ写真であると判断される場合には、ポルノ写真の再生が防止されないどころか閾値を越えて一致する色までも遮断されてしまう。このように、肝心かつ効果的な遮断が行われない上に、マルチメディアデータがポルノ写真でない場合には設定色が遮断されてしまう可能性がある。
【０００６】
引用参照特許２によりポルノ写真サイトのＵＲＬは阻止されるけれどもファイルがＰ２Ｐシステムによって最近転送されてしまったのでこの特許は有効ではない。さらに、ＣＤにコピーされて配布されるポルノ写真には対処が不可能である。
【特許文献１】韓国特許Laid-Open公開No 2004-46537（出願No. 10-2002-74484）
【特許文献２】韓国特許Laid-Open公開No 2002-27987（出願No. 10-2000-58828）
【特許文献３】韓国特許Laid-Open公開No 2001-107528（出願No. 10-2001-4025）
【発明の開示】
【発明が解決しようとする課題】
【０００７】
従って、本発明は先行技術に生じる上記の問題に鑑みて行われたものであると同時に、インターネット上でかつて配布されたポルノ写真ファイルからハッシュ値（ポルノ写真ハッシュ値）が取り出され、ポルノ写真ハッシュ値ＤＢが構築されて, コンピュータで転送、編集あるいは再生 (実行) がなされるべきファイルのハッシュ値（取出しハッシュ値）が取出されるとともに、比較されて、ポルノ写真ファイルの転送あるいは実行の停止あるいは該当ファイルの削除によって、コンピュータを利用する青少年に健全なインターネット環境が提供されると同時に、国民の資源であるインターネット・インフラストラクチャがより生産的に利用されることができるようにインターネット通信の多くが占められるポルノ写真動画の配布が阻止されることが本発明の目的である。
【課題を解決するための手段】
【０００８】
上の目的が成就されるために、本発明のある様態によると、 予め決められた１方向ハッシュ関数が利用されると同時に様々なポルノ写真の全体あるいは一部から取出しハッシュ値（ポルノ写真ハッシュ値）が取り出され、ポルノ写真ハッシュ値ＤＢが構築されるＤＢ構築段階、コンピュータに記憶されるファイルが再生されるとか、ネットワークを通じて転送されあるいは受信される場合に、ハッシュ関数が利用されてファイルの一部のハッシュ値（取出しハッシュ値）が取り出される取出し段階、取出しハッシュ値がポルノ写真ハッシュ値ＤＢのポルノ写真ハッシュ値と比較される比較段階、ならびに、取出しハッシュ値と一致するポルノ写真ハッシュ値がある場合にファイルの再生（実行）、編集あるいは転送が中止される遮断段階が含まれる、ハッシュ値を利用したポルノ写真遮断方法がある。
【０００９】
本ポルノ写真遮断方法には、さらにポルノ写真の等級に応じた等級によってポルノ写真のハッシュ値が分類される段階、および、ＤＢ構築後に遮断されるべきポルノ写真の等級設定段階が含まれて、比較段階では、取出しハッシュ値が等級設定段階で設定される予め決められる等級より高い等級をもつポルノ写真ハッシュ値と比較されるのが好ましい。
【００１０】
ＤＢ構築段階では、ポルノ写真ハッシュ値はネットワークを通じてサーバーから転送可能である。
【００１１】
ＤＢ構築段階で構築されたＤＢはサーバーに置かれる。ポルノ写真遮断方法にはさらに取出し段階後のサーバーへの取出しハッシュ値の転送段階が含まれて、比較段階はサーバーで実行されると同時に比較結果は比較段階後のサーバーから受信可能である。中止段階は比較結果が受信された後に行われる。
【発明を実施するための最良の形態】
【００１２】
本発明は添付図面が参照されて好ましい実施例に関連して詳細に説明されよう。参照に関しては、同じ参照文字は複数の図を通じて同じ該当部分が指される。
【００１３】
図１は本発明の実施例によりファイルが再生される場合のポルノ写真遮断処理が示されるフローチャートである。図１を参照すると、ユーザーによりポルノ写真が遮断されようとする場合に、ポルノ写真遮断プログラムがコンピュータにインストールされる（プログラムインストール段階１００）。該プログラムは、ポルノ写真のハッシュ値のデータベース（ＤＢ）が構築されるように、自動的、定期的あるいは手動で必要な場合にネットワークを通じてポルノ写真ハッシュ値をもつサーバーからダウンロードされて入手される（ＤＢ構築段階１１０）。ポルノ写真ハッシュ値は個別の１方向ハッシュ関数により取り出されるハッシュ値である。ポルノ写真ハッシュ値は対応するポルノ写真の全体あるいは一部に関するハッシュ値である一方で、これらはポルノ写真ハッシュ値ＤＢの構築の容易さを考慮してポルノ写真の部分に関するのが好ましい。
【００１４】
コンピュータにより特定のファイルが再生（実行）されるかあるいは編集され、該ファイルが別のコンピュータに転送されるかあるいは別のコンピュータから受信される場合に、プログラムにより実行され、転送されあるいは編集されたファイルの一部のハッシュ値が取り出される（取出し段階１２０）。ファイルが転送される場合、プログラムはファイル全体に関するハッシュ値の取出しが可能である。ファイルが受信される場合にはファイルの一部に関するハッシュ値が取り出されることが好ましい。ファイルが受信される場合にファイル全体が受信された後にファイルのハッシュ値が取り出されるが、ファイルの受信途中で取り出されて該ハッシュ値はファイルがポルノ写真に該当するかどうかが判断されることが好ましい。
【００１５】
取出し段階（１２０）で取り出されるハッシュ値（取出しハッシュ値）はＤＢのポルノ写真ハッシュ値と比較される（比較段階１３０）。取出しハッシュ値がＤＢに記憶されたポルノ写真ハッシュ値と同じである場合に、該当ファイルの転送、再生あるいは編集は阻止される（遮断段階１４０）。遮断段階（１４０）で阻止されたファイルは必要な場合には自動的に削除可能である。
【００１６】
図２は本発明の別の実施例によりファイルが転送される場合のポルノ写真遮断の処理が示されるフローチャートである。図２を参照すると、取出し段階（１２０）ではコンピュータで再生しようとするファイルのハッシュ値は取りだされないが、転送あるいは受信されたファイルの部分のハッシュ値は取り出される。ファイルはファイルがポルノ写真ではない場合に転送される（ファイル転送段階１４４）。ファイルがポルノ写真に該当する場合、ファイルの転送は停止されるかあるいはファイルが削除され（遮断段階１４０）、この点が図１の該当する段階とは異なる。ここで、ファイルが転送される場合、プログラムはファイル全体に関するハッシュ値の取出しが可能である。ファイルが受信される場合、ファイルの一部のハッシュ値が取り出されるのが好ましい。ハッシュ値はファイルが受信される場合にファイル全体が受信された後に取り出すことが可能であるけれども、ハッシュ値はファイルの受信途中で取り出されてファイルがポルノ写真であるか否かが判断されるのが好ましい。
【００１７】
図２はファイルがコンピュータに転送される場合ポルノ写真に該当するかどうかが判断されるとともに、ファイルがポルノ写真に該当する場合にファイルが遮断されるポルノ写真遮断方法が示される。
【００１８】
図３は本発明の別の実施例によるファイル転送時のポルノ写真の遮断における転送ファイルのハッシュ値のサーバーへの転送およびハッシュ値の処理の方法が示されるフローチャートである。図３に示される処理は、取出し段階（１２０）で取出されるハッシュ値（取出しハッシュ値）がポルノ写真ハッシュ値と比較されるサーバーへ転送される転送段階（１５０）が追加で含まれる点と、該サーバーで取出しハッシュ値がポルノ写真ハッシュ値と比較される比較段階（１３０）が実行される点を除いて図１の処理に類似している。図３の処理の場合には、ポルノ写真ハッシュ値はサーバーに存在すると同時にポルノ写真ハッシュ値がコンピュータにダウンロードされる段階は実行されない。
【００１９】
図１、図２および図３に詳細には図示されないが、ポルノ写真遮断プログラムは、ポルノ写真遮断プログラムが削除される必要のある場合で予め決められたパスワードが入力される場合にのみ削除される。さらに、コンピュータに記憶されるファイルの検索機能により、ポルノ写真であると判断される場合にファイルは削除され、ポルノ写真ハッシュ値の等級が設定され、ポルノ写真ハッシュ値ＤＢが構築されるとともに、遮断対象が追加可能であるよう予め決められる等級より高い等級をもつポルノ写真のみが設定される。
【産業上の利用可能性】
【００２０】
上述のように、本発明によりコンピュータを利用する青少年により違法なポルノ写真動画にアクセスされるのが防止され、健全なインターネット環境が提供される。さらに、本発明により、より生産的な国民的資源であるインターネットのインフラストラクチャが利用されることができるようにインターネット通信の多くが占められるポルノ写真動画の流通が阻止される。
【００２１】
さらに、本発明はＵＲＬが阻止される方法およびキーワードが阻止される方法が含まれる従来のポルノ写真遮断方法の限界が打破されるものであるとともに、個人間で流通するポルノ写真の遮断が可能である。さらに、本発明はポルノ写真がオフラインで入手される場合でもポルノ写真の再生の防止が可能である。
【００２２】
本発明は特定の例示的な実施例が参照されて説明されたが、実施例によってではなく付録の請求項によってのみ限定される。技術に熟練した人々は本発明の範囲と精神から逸脱することなく実施例の変更あるいは修正が可能であることが認められなくてはならない。
【図面の簡単な説明】
【００２３】
本発明のさらなる目的と利点は添付図面と関連して以降の詳細説明からさらに十分理解され得る。すなわち、
【００２４】
【図１】は本発明の実施例によりファイルが再生される場合のポルノ写真の遮断の処理が示されるフローチャートである。
【００２５】
【図２】は本発明のもう一つの実施例によりファイルが転送される場合のポルノ写真の遮断の処理が示されるフローチャートである。
【００２６】
【図３】は本発明のもう一つの実施例によりファイルが転送される場合の、ポルノ写真の遮断におけるファイルのハッシュ値の転送およびハッシュ値の処理方法が示されるフローチャートである。
【符号の説明】
【００２７】
１００：プログラムインストール段階、１１０：ＤＢ構築段階
１２０：取出し段階、１３０：比較段階
１４０：遮断段階、１４２：ファイル再生段階
１４４：ファイル転送段階、１５０：転送段階
【図１】
2008516332.tif 000003
【図２】
2008516332.tif 000004
【図３】
2008516332.tif 000005
【国際調査報告】
2008516332.tif 000006
2008516332.tif 000007